(57)【特許請求の範囲】
【請求項１】
制御手段と、
測位衛星からの電波を受信して、当該受信された電波に基づいて予め設定された取得対象データを取得して出力する電波受信手段と、
回動自在に設けられた指針と、
を備え、
前記制御手段は、
前記電波受信手段に前記電波の受信命令が入力されてから前記取得対象データが前記制御手段に出力されるまでの所要時間を算出する時間算出手段と、
前記電波の受信時に、前記指針に所定の報知動作を行わせ、前記所要時間が経過するタイミングで前記報知動作を終了させる報知動作制御手段と、
を備えることを特徴とするアナログ電子時計。
【請求項２】
前記報知動作制御手段は、前記報知動作の終了時に前記指針を所定の基準位置に停止させることを特徴とする請求項１記載のアナログ電子時計。
【請求項３】
前記所要時間には、
前記電波受信手段に受信命令が入力されてから当該電波受信手段が受信動作を開始するまでの所定の起動時間、
前記受信動作の開始から前記電波受信手段が前記取得対象データの取得に必要な機数の前記測位衛星の電波を捕捉するのに必要な捕捉時間、
及び前記取得対象データとその取得方法に応じて定まるデータ受信時間、
が含まれることを特徴とする請求項１又は２記載のアナログ電子時計。
【請求項４】
前記報知動作制御手段は、前記電波受信手段が捕捉して追尾中の前記測位衛星の機数に係る捕捉情報を所定の時間間隔で前記電波受信手段から取得して、前記捕捉された測位衛星の機数が前記必要な機数に満たない場合には、前記捕捉情報の取得タイミングから前記データ受信時間が前記所要時間に含まれるように当該所要時間を再設定し、当該再設定された所要時間の経過時間に応じたタイミングまで前記指針に前記報知動作を行わせることを特徴とする請求項３記載のアナログ電子時計。
【請求項５】
過去の受信履歴を記憶する履歴記憶手段を備え、
前記報知動作制御手段は、当該受信履歴に基づいた前記取得方法を設定して当該取得方法に応じた前記データ受信時間を定める
ことを特徴とする請求項３又は４記載のアナログ電子時計。
【請求項６】
前記報知動作に係る指針の動作は、所定のパターン動作の繰り返しであり、
前記報知動作制御手段は、前記パターン動作の途中で前記所要時間が経過する場合には、前記パターン動作に係る前記指針の動作速度及び前記パターン動作を行う角度範囲のうち少なくとも一方を変更して、少なくとも一回の前記パターン動作に要する時間を短縮又は延長することで、前記所要時間の経過タイミングで最後の前記パターン動作を終了させる
ことを特徴とする請求項１〜５の何れか一項に記載のアナログ電子時計。
【請求項７】
前記報知動作制御手段は、前記報知動作に係る前記指針の移動速度よりも、前記取得対象データに基づく結果表示を行うための前記指針の移動速度を速く設定することを特徴とする請求項１〜６の何れか一項に記載のアナログ電子時計
【請求項８】
測位衛星からの電波を受信して、当該受信された電波に基づいて予め設定された取得対象データを取得して出力する電波受信手段と、回動自在に設けられた指針とを備えたアナログ電子時計の制御手段による指針動作制御方法であって、
前記電波受信手段に前記電波の受信命令が入力されてから前記取得対象データが前記制御手段に出力されるまでの所要時間を算出する時間算出ステップ、
前記電波の受信時に、前記指針に所定の報知動作を行わせ、前記所要時間が経過するタイミングで前記報知動作を終了させる報知動作制御ステップ、
を含むことを特徴とするアナログ電子時計の指針動作制御方法。
【発明の詳細な説明】
【技術分野】
【０００１】
この発明は、測位衛星からの電波を受信して日時情報や位置情報を取得するアナログ電子時計及びアナログ電子時計の指針動作制御方法に関する。
【背景技術】
【０００２】
従来、ＧＮＳＳ（Global Navigation Satellite System）に係る測位システムの衛星（測位衛星）からの送信電波を受信して日時や位置（タイムゾーン）の修正を行ったり、測位を行ったりすることの出来る電子時計（電波時計）がある。このような電波受信は、通常、受信、データの解読や位置情報の算出が一体的に行われるモジュールを用いて行われる。そして、処理された日時データや測位データがモジュールから電子機器の制御部に出力されて利用される。
【０００３】
測位衛星からの受信電波に基づいて正確な日時情報や位置情報を取得する場合、通常であれば、４機以上の測位衛星から３０秒間のデータセットを受信することで日時や位置の算出が可能となる。しかしながら、予め測位衛星の予測軌道情報が保持されているか否か、或いは、周囲に測位衛星からの電波を遮断する障害物があるか否か、などの条件により受信時間が左右される。また、電力消費の低減やサイズの大型化抑制などのために、より短い受信時間で日時や位置を算出する種々の技術がある。
【０００４】
通常、電子時計では、電波の受信中には、電波受信状態であることを示す表示が行われる。しかしながら、上述のように受信時間が変化し得る場合、特に、携帯型の電子時計では、ユーザが好適な受信状態を保ったり、受信結果を知得したりするために待機しようとしても、いつまで待てば良いかわからないという問題がある。そこで、特許文献１には、測位衛星からの電波の捕捉状況や受信中のデータ内容に基づいて必要な残り受信時間を予測して、当該残り受信時間を表示させる技術について開示されている。
【０００５】
また、指針を用いて時刻を表示するアナログ式電子時計においては、特定の指針位置に標識が設けられて当該標識を指針に指し示させることで電波受信状態であることを示す技術がある。しかしながら、短時間で電波受信が終了する場合、指針を移動させている間に電波受信が終了してしまい、指針の移動途中で指針を元の位置付近に戻さなければならないといった状況が生じて移動動作が無駄になることがあるという問題がある。そこで、特許文献２では、アナログ電子時計において、受信データフォーマットの区切りに基づいて予測される受信終了時刻を示す位置に先に指針を移動させて、当該指針を一時停止させておく技術について開示されている。
【先行技術文献】
【特許文献】
【０００６】
【特許文献１】特開２００９−２３６５６０号公報
【特許文献２】特開２０１１−１６３９１２号公報
【発明の概要】
【発明が解決しようとする課題】
【０００７】
しかしながら、アナログ電子時計において、様々な位置で指針を停止可能とすると、ユーザは、電子時計が電波受信状態であることを知得し難くなる。一方で、受信中に指針を動作させる場合、当該動作に係る制御命令が続けて大量に発生することから、受信データを取得するタイミングの遅延に繋がり、取得された日時のタイミングがずれて精度が低下するという課題がある。
【０００８】
この発明の目的は、電波受信により取得される日時データの精度を落とさずに、ユーザに電波受信中であることをより確実に知得させることが出来るアナログ電子時計及びアナログ電子時計の指針動作制御方法を提供することにある。
【課題を解決するための手段】
【０００９】
本発明は、上記目的を達成するため、
制御手段と、
測位衛星からの電波を受信して、当該受信された電波に基づいて予め設定された取得対象データを取得して出力する電波受信手段と、
回動自在に設けられた指針と、
を備え、
前記制御手段は、
前記電波受信手段に前記電波の受信命令が入力されてから前記取得対象データが前記制御手段に出力されるまでの所要時間を算出する時間算出手段と、
前記電波の受信時に、前記指針に所定の報知動作を行わせ、前記所要時間が経過するタイミングで前記報知動作を終了させる報知動作制御手段と、
を備えることを特徴とするアナログ電子時計である。
【発明の効果】
【００１０】
本発明に従うと、アナログ電子時計において、電波受信により取得される日時データの精度を落とさずに、ユーザに電波受信中であることをより確実に知得させることが出来るという効果がある。
【図面の簡単な説明】
【００１１】
【図１】本発明の実施形態のアナログ電子時計の正面図である。
【図２】アナログ電子時計の内部構成を示すブロック図である。
【図３】ＧＰＳ受信処理部における日時取得処理の動作手順を示すフローチャートである。
【図４】ＧＰＳ衛星から送信される航法メッセージのフォーマットについて説明する図である。
【図５】位置情報の取得中に実行される指針動作の例を示す図である。
【図６】モード指針の位置、移動方向及び移動速度を示す図である。
【図７】モード指針の位置、移動方向及び移動速度を示す図である。
【図８】ＧＰＳ受信表示処理の制御手順を示すフローチャートである。
【図９】モード指針の移動動作の変形例を示す図である。
【発明を実施するための形態】
【００１２】
以下、本発明の実施の形態を図面に基づいて説明する。
図１は、本発明の実施形態のアナログ電子時計の正面図である。
このアナログ電子時計１は、内部に各構成を収めるケーシング２と、ケーシング２内で一方の面（露出面）が外部に露出される文字盤３と、文字盤３の露出面を覆う図示略の透明部材（風防ガラス）と、文字盤３の略中心を回転軸として文字盤３の略全面に亘って回転動作し、文字盤３の外縁付近に設けられた標識や目盛を指し示す３本の時刻指針６１、６２、６３と、文字盤３の３時位置に設けられた小窓４及び小窓４の内部で回転動作するモード指針６５（指針）と、文字盤３の８時位置に設けられた小窓５及び小窓５の内部で回転動作する機能指針６６、６７と、文字盤３の１０時位置に設けられた小窓６及び小窓６の内部で回転する２４時間指針６８と、文字盤３の露出面側とは反対側に当該文字盤３に平行に設けられ、回転動作に応じて文字盤３の４時３０分位置に設けられた開口部７から一の標識が露出される日車６４と、ケーシング２における文字盤３の露出面側に対して側面側に設けられたりゅうずＣ１及び押しボタンスイッチＢ１、Ｂ２、Ｂ３などを備える。
【００１３】
時刻指針６１〜６３は、それぞれ、秒針６１、分針６２及び時針６３であり、通常、時刻を表示する場合に、それぞれ、時刻の時、分、秒を指し示す。日車６４は、その周縁部に日付を表す標識が順番に等間隔で設けられて、これらの標識のうちの一つが開口部７から露出されることで日付を示す。また、本実施形態のアナログ電子時計１では、秒針６１が各種機能に係る表示や設定に用いられる。
【００１４】
モード指針６５は、小窓４内部の３時側に設けられた７つの標識の何れかを指し示すことで曜日を示し、小窓４内部の９時側に設けられた標識の何れかを指し示すことで、実行中の機能モードを示す。機能モードとしては、ストップウォッチモード、アラームモード及びタイマーモードがあり、また、時刻表示モードに関して夏時間の実施中であるか否かについて示される。また、これらの各種機能モードと平行して、通信に係る電波送受信を禁止する機内モードの設定が可能となっている。更に、小窓４の３時側半分には、罫線が設けられた半球状の図が表示され、モード指針６５の指し示す方向と３時方向（水平方向）とのなす角度により緯度が表示される。
【００１５】
機能指針６６、６７は、それぞれ、小窓５の内部において、上述の各種機能モードの実行に係る表示に用いられる。即ち、機能指針６６、６７は、ストップウォッチやタイマにおける計測時間、アラーム設定時刻や通常の時刻表示モードにおける他の地点での時刻（世界時計）の表示を行う。
【００１６】
２４時間指針６８は、小窓６の内部で一周することにより時刻指針６１〜６３による表示時刻と対応した２４時間表示での時刻を指し示し、ユーザに午前又は午後の何れであるかを示す。
【００１７】
りゅうずＣ１及び押しボタンスイッチＢ１〜Ｂ３は、それぞれ、ユーザからの入力操作を受け付ける。りゅうずＣ１は、ケーシング２から２段階の引き出しが可能であり、引き出された状態で回転操作が行われることにより各種設定に用いられる。押しボタンスイッチＢ１〜Ｂ３は、それぞれ、押下されることで機能モードの種別変更を行い、また、機能モードごとに割り当てられた動作命令を受け付ける。
【００１８】
図２は、アナログ電子時計１の内部構成を示すブロック図である。
アナログ電子時計１は、ＣＰＵ４１（Central Processing Unit）（時間算出手段、報知動作制御手段）と、ＲＯＭ４２（Read Only Memory）と、ＲＡＭ４３（Random Access Memory）（履歴記憶手段）と、発振回路４４と、分周回路４５と、計時回路４６と、操作部４７と、標準電波受信部４８及びそのアンテナ４９と、ＧＰＳ受信処理部５０（電波受信手段）及びそのアンテナ５１と、駆動回路５２と、電源部５４と、上述の時刻指針６１〜６３、日車６４、モード指針６５、機能指針６６、６７及び２４時間指針６８と、輪列機構７１〜７５と、ステッピングモータ８１〜８５などを備える。
【００１９】
ＣＰＵ４１は、各種演算処理を行い、また、アナログ電子時計１の全体動作を統括制御する。ＣＰＵ４１は、日時の表示に係る指針動作を制御すると共に、標準電波受信部４８を動作させて受信データを取得して日時を算出したり、ＧＰＳ受信処理部５０を動作させて日時情報を取得したりする。また、ＣＰＵ４１は、得られた日時データに基づいて、計時回路４６の計数する日時を修正する。
【００２０】
ＲＯＭ４２は、ＣＰＵ４１により実行される各種制御用のプログラム４２ａや設定データを格納する。プログラム４２ａには、例えば、各種機能モードの動作制御に係るプログラムが含まれている。
【００２１】
ＲＡＭ４３は、ＣＰＵ４１に作業用のメモリ空間を提供し、一時データを記憶する。ＲＡＭ４３には、また、日時情報及び位置情報取得の履歴、都市設定や指針位置を示すデータなどが記憶されている。
【００２２】
発振回路４４は、所定の周波数信号を生成して出力する。発振回路４４は、例えば、水晶発振器を備える。
分周回路４５は、発振回路４４から出力された周波数信号をＣＰＵ４１や計時回路４６により利用される周波数の信号に分周して出力する。出力される周波数は、ＣＰＵ４１からの制御信号により変更可能に設定されていても良い。
【００２３】
計時回路４６は、所定の日時を示す初期値に分周回路４５から入力される分周信号を計数して加算していくことにより現在の日時を計数する。この計時回路４６により計数される日時は、発振回路４４の精度に応じた誤差（歩度）、例えば、一日に０．５秒程度、を有する。この計時回路４６の計数する日時は、ＣＰＵ４１からの制御信号により修正されることが可能となっている。
【００２４】
操作部４７は、ユーザからの入力操作を受け付ける。操作部４７には、上述の押しボタンスイッチＢ１〜Ｂ３やりゅうずＣ１が含まれる。押しボタンスイッチＢ１〜Ｂ３がそれぞれ押下されたり、りゅうずＣ１が引き出され、押し戻され、また、回転動作がなされたりした場合には、動作種別に応じた電気信号がＣＰＵ４１に出力される。
【００２５】
標準電波受信部４８は、アンテナ４９を用いて長波長帯の電波を受信して、振幅変調された標準電波の時刻信号出力（ＴＣＯ）を復調し、ＣＰＵ４１に出力する。標準電波受信部４８による長波長帯の同調周波数は、ＣＰＵ４１の制御により受信対象の標準電波送信局からの送信周波数に応じて変更される。また、標準電波受信部４８は、受信感度を向上させるための各種処理を行い、アナログ信号を所定のサンプリング周波数でデジタル化してＣＰＵ４１に出力する。
【００２６】
ＧＰＳ受信処理部５０は、アンテナ５１を用いてＬ１帯（１．５７５４２ＧＨｚ）の電波を受信し、測位衛星、ここでは例えば、ＧＰＳ（Global Positioning System）に係る測位衛星（ＧＰＳ衛星）からのスペクトラム拡散された送信電波を復調して信号（航法メッセージデータ）を復号、解読する。解読された航法メッセージデータの内容に対して、更に、必要に応じて各種演算処理が行われ、ＣＰＵ４１からの要求に応じたデータ（取得対象データ）が予め設定されたフォーマットでＣＰＵ４１に出力される。これらの受信、解読、演算及び出力に係る動作制御は、ＧＰＳ受信処理部５０に設けられた制御部５０ａ（マイコン）によりなされる。これらのＧＰＳ受信処理部５０における受信処理に係る各構成は、まとめて一つのモジュールとしてチップ上に形成され、ＣＰＵ４１と接続される。ＧＰＳ受信処理部５０の動作は、ＣＰＵ４１により、アナログ電子時計１の他の各部の動作とは独立にオンオフの制御がなされる。アナログ電子時計１では、ＧＰＳ受信処理部５０を動作させる必要が無い場合には、ＧＰＳ受信処理部５０への電力供給を中断することで省電力化が図られている。
【００２７】
また、ＧＰＳ受信処理部５０は、記憶部を備える。この記憶部には、フラッシュメモリやＥＥＰＲＯＭ（Electrically Erasable and Programmable Read Only Memory）といった不揮発性メモリが用いられ、ＧＰＳ受信処理部５０への電力供給状態に依らず記憶された内容が保持される。記憶部には、各種動作制御プログラム、各ＧＰＳ衛星の予測軌道情報や日時を取得する際の設定値、例えば、うるう秒補正値などを記憶させておくことが出来る。なお、予測軌道情報をアナログ電子時計１のＲＡＭ４３に記憶させ、必要に応じて制御部５０ａがＣＰＵ４１から情報を受け取る構成であっても良い。また、動作制御プログラムは、専用のＲＯＭに格納されて、起動時に読み出されて制御部５０ａのＲＡＭにロードされても良い。
【００２８】
電源部５４は、各部の動作に係る電力を所定電圧で供給する。電源部５４は、バッテリを有し、このバッテリとしては、例えば、ソーラバッテリと二次電池とを備える。或いは、バッテリとして交換可能なボタン型の乾電池を用いても良い。また、電源部５４から複数の異なる電圧が出力される場合には、例えば、スイッチング電源などを用いて所望の電圧に変換して出力可能な構成とすることが出来る。
【００２９】
ステッピングモータ８１は、複数の歯車の配列である輪列機構７１を介して秒針６１を回転動作させる。ステッピングモータ８１が一回駆動されると、秒針６１は、１ステップ６度回転し、ステッピングモータ８１の６０回の動作により文字盤３上で一周する。
ステッピングモータ８２は、輪列機構７２を介して分針６２、時針６３及び２４時間指針６８を回転動作させる。輪列機構７２は、分針６２、時針６３及び２４時間指針６８を連動して回転させる構成であり、分針６２を１度ずつ回転移動させると共に時針６３を１／１２度ずつ回転移動させ、また、２４時間指針６８を１／２４度ずつ回転移動させる。従って、分針６２、時針６３及び２４時間指針６８が１０秒に１回ずつ回転移動される場合、分針６２は、１時間で文字盤３上を一周し、これにより時針６３が文字盤３上で３０度移動すると共に２４時間指針６８が小窓６内で１５度移動する。即ち、時針６３は、１２時間で文字盤３上を一周し、２４時間指針６８は、２４時間で小窓６内を一周する。
【００３０】
ステッピングモータ８３は、輪列機構７３を介して日車６４を回転動作させる。ステッピングモータ８３が一回駆動されると、日車６４は、１ステップ分の角度回転移動し、１５０ステップの回転移動により３６０／３１度の回転が生じて、開口部７から露出される日付標識が１日分変化する。そして、日車６４が３１日分回転移動すると、再び最初の日付を示す日付標識が開口部７から露出されることになる。
【００３１】
ステッピングモータ８４は、輪列機構７４を介してモード指針６５を回転動作させる。ステッピングモータ８４が一回駆動されると、モード指針６５は、１ステップ１度回転移動する。従って、ステッピングモータ８４が３６０回回転駆動されることで、モード指針６５が小窓４内を一周する。
【００３２】
ステッピングモータ８５は、輪列機構７５を介して機能指針６６、６７を回転動作させる。輪列機構７５は、機能指針６６及び機能指針６７を連動して回転させる構成であり、機能指針６６を６度ずつ回転移動させると共に機能指針６７を１／２度ずつ回転移動させる。従って、機能指針６６及び機能指針６７が１分に１回ずつ回転移動されると、機能指針６６は、１時間で小窓５内を一周し、また、機能指針６７が小窓５内で３０度移動する。即ち、機能指針６７は、１２時間で小窓５内を一周する。
【００３３】
時刻指針６１〜６３、日車６４、モード指針６５、機能指針６６、６７及び２４時間指針６８は、特には限られないが、正転方向（時刻が進む方向）に９０ｐｐｓ（pulse per second）で回転移動可能であり、また、逆転方向に３２ｐｐｓで回転移動可能となっている。従って、ステッピングモータが１回駆動動作されるごとに１度移動する指針（分針６２及びモード指針６５）は、正転方向への回転では４秒、逆転方向への回転では１１．２５秒で一周する。
【００３４】
駆動回路５２は、ＣＰＵ４１からの制御信号に従ってステッピングモータ８１〜８５に所定電圧の駆動パルスを出力する。駆動回路５２は、アナログ電子時計１の状態などに応じて駆動パルスの長さ（パルス幅）を変更させることが出来る。また、複数の指針を同時に駆動させる制御信号が入力された場合に、負荷を低減させるために僅かに駆動パルスの出力タイミングをずらしたりすることが出来る。
【００３５】
次に、ＧＰＳ受信処理部５０による日時又は位置の取得について説明する。
【００３６】
図３は、ＧＰＳ受信処理部５０における日時取得処理の動作手順を示すフローチャートである。
この日時取得処理は、ＣＰＵ４１がＧＰＳ受信処理部５０を起動させることで開始される。
【００３７】
日時取得処理が開始されると、ＧＰＳ受信処理部５０の制御部５０ａは、起動動作に係る初期設定を行う（ステップＳ１０１）。制御部５０ａは、ＣＰＵ４１から受信対象や受信に係る設定情報などを取得して、ＧＰＳ衛星から電波を受信して必要な情報を取得するためのプログラムを実行する。
【００３８】
制御部５０ａは、ＧＰＳ衛星からの送信電波の受信を開始し、送信電波に同調、検出する動作することで当該電波を捕捉する処理を行う（ステップＳ１０２）。必要な数のＧＰＳ衛星からの電波が捕捉されると、制御部５０ａは、捕捉されたＧＰＳ衛星から必要なデータの受信を行う（ステップＳ１０３）。制御部５０ａは、受信されたデータに基づいて日時を算出し、設定されたフォーマットでＣＰＵ４１に出力する（ステップＳ１０４）。
【００３９】
そして、制御部５０ａは、ＧＰＳ衛星からの送信電波の受信を停止し、ＣＰＵ４１に電源をオフする要求を送信して（ステップＳ１０５）、日時取得処理を終了する。
【００４０】
位置情報を取得する処理（位置情報取得処理）の場合、ステップＳ１０４の処理で、日時と共に現在位置が算出、出力される点を除いて日時取得処理と動作手順は同一である。
【００４１】
ここで、日時取得処理及び位置情報取得処理の各ステップにおける処理に要する時間について、説明する。
ステップＳ１０１の処理において、ＧＰＳ衛星からの電波を受信する場合、先ず、オフされているＧＰＳ受信処理部５０を起動する処理が必要になる。この処理に要する時間（起動時間）は、アナログ電子時計１でほぼ一定の時間であると考えることが出来る。
【００４２】
次に、ステップＳ１０２の処理において、ＧＰＳ受信処理部５０は、ＧＰＳ衛星からの電波を捕捉する。ＧＰＳ衛星から送信される航法メッセージは、各ＧＰＳ衛星に対して各々個別に定められているＣ／Ａコードを用いてスペクトラム拡散がなされ、搬送波により変調されて送信されている。従って、ＧＰＳ衛星からの電波を捕捉してこの航法メッセージを受信するには、受信可能なＧＰＳ衛星からの送信電波の周波数に同調し、当該ＧＰＳ衛星のＣ／Ａコードを用いて受信電波信号に対して逆スペクトラム拡散処理を行う必要がある。
【００４３】
ＧＰＳ衛星は、地球を周回する軌道上を高速で公転しているので、受信地点に対する距離方向の速度によりドップラー効果が生じて受信周波数が送信周波数から変化する。従って、ＧＰＳ衛星の位置が分からない場合には、ドップラー効果によって変化しうる受信周波数内で周波数スキャンを行う必要がある。
同様に、ＧＰＳ衛星の位置が分からない場合には、どのＧＰＳ衛星からの電波が受信地点で受信可能な状態（可視状態）であるかが分からない。従って、全てのＧＰＳ衛星のＣ／Ａコードにより逆スペクトラム拡散処理を試みて信号の検出有無を判別する必要がある。
よって、ＧＰＳ受信処理部５０が衛星位置（予測軌道データ）を参照可能な状態であるか否かにより、ＧＰＳ衛星からの電波を捕捉するために必要な時間（捕捉時間）が定められる。実際には、受信環境などに応じて電波を受信可能なＧＰＳ衛星の数が少ない場合や受信電波強度が低い場合などに、定められた時間より長い時間が必要とされる場合がある。
【００４４】
ここで、ＧＰＳ衛星から日時情報のみを取得する場合には、１衛星のみから電波が受信されれば、当該ＧＰＳ衛星と受信地点との距離が同定出来ないことにより生じる誤差の範囲内で日時情報を取得することが出来る。ＧＰＳ衛星を用いて測位を行う場合（日時の取得の際に上述の誤差を生じさせないための測位も含む）には、４衛星からの電波受信が必要になる。従って、必要な数のＧＰＳ衛星（必要な機数）からの電波を捕捉するのに必要な時間は、衛星数に応じて変化する。
【００４５】
ＧＰＳ衛星からの電波が捕捉されると、ＧＰＳ受信処理部５０は、日時を取得するために必要な部分の航法メッセージを受信して復号、解読する（ステップＳ１０３）。
【００４６】
図４は、ＧＰＳ衛星から送信される航法メッセージのフォーマットについて説明する図である。
ＧＰＳ衛星から送信される航法メッセージは、３０秒単位のフレーム２５個で構成されている。各フレームには、６秒単位のサブフレームが５個含まれており、更に、各サブフレームには、０．６秒単位のワード（ＷＯＲＤ）が１０個含まれている。
【００４７】
各ワードは、３０ビットで構成されている。このうち、各サブフレームの先頭から２つのワードであるＷＯＲＤ１及びＷＯＲＤ２のフォーマットは、全てのサブフレームで共通である。ＷＯＲＤ１の先頭の２２ビットは、テレメトリワード（ＴＬＭ）を表し、このうち更に先頭の８ビットは、毎回固定されたプリアンブル（Preamble）である。また、ＷＯＲＤ２の先頭の２２ビットは、ハンドオーバワード（ＨＯＷ）を表し、このうち更に先頭の１７ビットは、曜日以下の日時（週内経過時間）を示すＴＯＷ−Ｃｏｕｎｔ（Time of Week）である。
【００４８】
一方、ＷＯＲＤ３以降の各ワードは、サブフレームごとに異なる内容を示している。先頭のサブフレーム（サブフレーム１）のＷＯＲＤ３では、先頭の１０ビットが週番号ＷＮを示す。また、サブフレーム２及びサブフレーム３のＷＯＲＤ３以降には、当該ＧＰＳ衛星の軌道データ（エフェメリスデータ）が含まれている。サブフレーム４のＷＯＲＤ３以降には、位置や日時を求めるための各種補正パラメータが含まれ、サブフレーム５のＷＯＲＤ３以降には、全てのＧＰＳ衛星の予測軌道データ（アルマナックデータ）が含まれている。
【００４９】
これらのうち、週番号ＷＮと週内経過時間ＴＯＷ−Ｃｏｕｎｔの組み合わせにより、日時情報が得られる。従って、サブフレーム１のデータが受信されることで、日時データの出力が可能になる。
一方、位置情報を取得するには、４衛星以上の日時に係るデータ及びエフェメリスデータが取得される必要がある。また、このとき、通常では、併せて補正パラメータやアルマナックデータも取得される。従って、１フレーム分のデータが取得されることで、位置データの算出及び出力が可能になる。なお、本実施形態のアナログ電子時計１では、複数衛星からのデータを並列に取得することが可能となっている。
即ち、データ受信期間は、取得対象のデータが日付又は位置の何れであるかによって異なる。
【００５０】
本実施形態のアナログ電子時計１では、ＧＰＳ受信処理部５０は、外部、ここでは、ＣＰＵ４１から、日時の一部分を示す情報、例えば、日付データを取得しておくことが出来る。ＧＰＳ受信処理部５０は、日付データを保持した状態で週内経過時間ＴＯＷ−Ｃｏｕｎｔを取得すると、当該週内経過時間ＴＯＷ−Ｃｏｕｎｔの時刻部分と保持している日付とに基づいて日時を算出して出力することが出来る。或いは、ＧＰＳ受信処理部５０は、これらの週内経過時間ＴＯＷ−Ｃｏｕｎｔ及び保持している日付データから週番号ＷＮを逆算して、当該週番号ＷＮと週内経過時間ＴＯＷ−Ｃｏｕｎｔから得られる日時を算出しても良い。
なお、日付データを保持している状態で週番号ＷＮと週内経過時間ＴＯＷ−Ｃｏｕｎｔの両方が受信、取得された場合には、保持している日時データをこれらの値で得られる日付で上書きする構成とすることが出来る。
【００５１】
従って、ＲＡＭ４３にＧＰＳ受信処理部５０や標準電波受信部４８により日時情報が取得された履歴を記憶させておき、計時回路４６が計数する日時に大きなずれがあると想定されない場合、例えば、前回の日時の取得から１ヵ月が経過していない場合には、ＣＰＵ４１からＧＰＳ受信処理部５０に日付データを出力し、週番号ＷＮを取得せずに週内経過時間ＴＯＷ−Ｃｏｕｎｔのみを受信するように変更することが出来る。このように、取得対象データである日時データを取得する方法（取得方法）を変更することで、ＧＰＳ衛星から必要な航法メッセージを受信するために必要な時間（データ受信時間）を短縮することが出来る。
【００５２】
具体的には、何れかのサブフレームが１つ、又は、更には、何れかのサブフレームにおけるＷＯＲＤ２が取得されることで、週内経過時間ＴＯＷ−Ｃｏｕｎｔが取得される。上述のように、サブフレーム１つの長さは６秒であるが、サブフレームの先頭を同定するためにプリアンブルを受信する必要があるので、完全なサブフレーム１つのデータを取得するには、最短のデータ受信時間が６秒であるのに対し、受信開始タイミングに応じて最長１２秒程度のデータ受信時間が必要になる場合がある。同様に、ＷＯＲＤ２を受信してデータを取得するために、プリアンブルを先に受信する必要があり、ＷＯＲＤ１及びＷＯＲＤ２の２ワードの受信に要する最短のデータ受信時間が１．２秒であるのに対し、受信開始のタイミングによっては、１２ワード分の最長約７．２秒のデータ受信時間が必要になる。これらのうち何れの受信方法が用いられるかについては、計時回路４６の計数する日時の精度（歩度）や前回の修正からの経過時間により選択されても良いし、一律に１サブフレーム程度の受信を行う設定であっても良い。航法メッセージにおけるデータ位置が分からない場合には、データ受信時間としては、最短のデータ受信時間が設定される。データ位置を見積もることが可能な場合には、見積もり誤差の影響を考慮した最短の待機時間をデータ受信時間に加算することが出来る。
【００５３】
一方、測位用にデータを１フレーム分受信する場合、一のフレームの先頭から最後まで受信するのに必要な最短のデータ受信時間は３０秒であり、最長では、６０秒弱のデータ受信時間が必要となる。但し、一のフレームの途中のサブフレームから次のフレームにおける当該サブフレームの一つ前のサブフレームまでの受信を行って１フレーム分のデータとする場合には、最長で３６秒弱となる。
なお、計時回路４６の計数する日時のずれが小さいサブフレームの長さ（６秒）に比して十分短いと想定される場合、ＧＰＳ衛星からの電波が捕捉された後、制御部５０ａの制御により、当該電波の受信周波数とＣ／Ａコード（衛星番号）を記憶した状態で、ＷＯＲＤ１の送信タイミングであると想定されるタイミング直前まで一度電波受信を中断することとしても良い。この中断時間は、データ受信時間に加算されても良い。
【００５４】
必要な航法メッセージが取得されると、制御部５０ａにより日時が算出される（ステップＳ１０４）。日時は、保持されている日付データや取得されたＷＮの値と週内経過時間ＴＯＷ−Ｃｏｕｎｔの値とにより容易に得られるので、処理時間は、他の処理に要する時間と比較してほぼ無視可能な程度に短い。測位処理における位置の算出に要する計算時間は、日時の算出時間よりは長くなるが、やはり、他の処理に要する時間との比較では、ほぼ無視可能な長さである。
従って、ＧＰＳ受信処理部５０の起動処理が開始されてから、ＣＰＵ４１がＧＰＳ受信処理部５０から日時又は位置の情報を取得するまでに要する時間は、少なくとも、起動時間、捕捉時間及びデータ受信時間の合計時間となる。本実施形態の電子時計１では、日時又は位置情報の取得に係る電波受信をＧＰＳ受信処理部５０に開始させる前に、ＣＰＵ４１は、取得データ、受信タイミング、計時回路４６の保持する日時データや受信条件などを考慮して、この合計時間として見積もり得る範囲の中で最も短い時間（所要時間）を最短所要時間として算出する。
【００５５】
次に、ＧＰＳ受信処理部５０による日時又は位置情報の取得に係る処理の実行中における指針動作について説明する。
【００５６】
上述のように、位置情報の表示は、モード指針６５により行われる。そこで、このモード指針６５を用いて、位置情報の取得中に、当該取得中の状態であることを示す早送り動作（報知動作）を所定のパターン（パターン動作）の繰り返しで行わせる。しかしながら、このモード指針６５の早送り動作により、ＣＰＵ４１から駆動回路５２に対して頻繁に制御信号が送られることになるので、ＧＰＳ受信処理部５０から日時情報を受け取るための割込み処理が制御信号の出力と重なった場合に、割込み処理の挿入タイミングが遅れて、取得された日時の同期点にずれが発生する。従って、本実施形態のアナログ電子時計１では、日時情報を受け取るための割込み処理が最速で発生するタイミングまでにモード指針６５の早送り動作を終了させる。ここで、時刻指針６１〜６３及び２４時間針６８についても同様にこのタイミング以降指針動作を中止させる。或いは、これらの時刻指針６１〜６３及び２４時間針６８の動作は、日時取得処理が開始された時点で停止されても良い。
【００５７】
図５は、アナログ電子時計１において、位置情報の取得中に小窓４内で実行される指針動作の例を示す図である。また、図６は、モード指針６５の位置、移動方向及び移動速度を示す図である。
【００５８】
図５（ａ）に示すように、通常の状態では、時刻表示モードにおいて、モード指針６５は、曜日を指し示す。ここでは、標識「ＳＵ」が指し示されており、即ち、日曜日であることが示されている。
【００５９】
図５（ｂ）に示すように、ＣＰＵ４１により測位処理が開始されて、ＧＰＳ受信処理部５０に位置情報の取得に係る命令が送信されると（図６のタイミングｔ０）、モード指針６５は、真上向き、即ち、北緯９０度の位置を指すように移動される。この移動動作は、小窓４内の３時側半分の１８０度範囲（角度範囲）で行われるので、モード指針６５は、逆転方向への移動になる。従って、このときの移動速度（動作速度）は、最高で３２ｐｐｓとなる。
【００６０】
モード指針６５が北緯９０度の位置を指し示すと、このモード指針６５の移動方向が反転されて、図５（ｃ）に示すように、今度は正転方向に真下向き、即ち、南緯９０度の位置を指し示すように移動される。この移動速度は、逆転方向の移動速度と同一とすることが好ましく、従って、最高で３２ｐｐｓとなる。
【００６１】
モード指針６５が南緯９０度の位置を指し示すと、モード指針６５の移動方向が再度反転されて再び逆転方向に移動させ、図５（ｄ）に示すように、北緯９０度の位置を指し示すように移動される。このときの移動速度も同様に、これまでの移動速度と同一とすることが好ましい。
【００６２】
図６に示すように、このような北緯９０度の位置（位置Ｎ）及び南緯９０度の位置（位置Ｓ）の間でのモード指針６５の動作は、上述の最短所要時間が経過するまで（タイミングｔ１）行われる。このとき、最短所要時間が経過する時点でモード指針６５が途中の位置にあり、この位置で停止されると、当該位置が計測された緯度と誤認される虞が生じるので、所定の位置（基準位置）、ここでは、北緯９０度の位置で停止するように移動速度が設定される。例えば、図６（ａ）に示すように、最短所要時間が３２秒間の場合、モード指針６５を３２ｐｐｓで位置Ｎに移動させた後、モード指針６５を２４ｐｐｓの均一速度で２回位置Ｓとの間で往復させるように動作させることが出来る。
【００６３】
或いは、図６（ｂ）に示すように、途中までは、常にモード指針６５を３２ｐｐｓで移動させ、モード指針６５の移動動作が停止される一回前の移動の際に、位置Ｓまで移動させず、途中（ここでは、南緯３０度の位置（Ｓ３０））で移動方向を反転させることで、最短所要時間が経過したタイミングでモード指針６５が北緯９０度の位置に到達するようにしても良い。
【００６４】
また、図６（ｃ）に示すように、途中までは、常にモード指針６５を３２ｐｐｓで移動させ、モード指針６５の移動動作が停止される一回前の移動の際にのみ、最短所要時間が経過したタイミングでモード指針６５が北緯９０度の位置に到達するように移動速度を低下させても良い（ここでは、１８ｐｐｓ）。
【００６５】
図６に示すように、モード指針６５が停止された後、ＧＰＳ受信処理部５０から位置情報がＣＰＵ４１に入力されると（タイミングｔ２）、図５（ｅ）に示すように、ＣＰＵ４１は、当該求められた位置情報に係る緯度を示す位置（ここでは、例えば、北緯３６度の位置（Ｎ３６））にモード指針６５を移動させる。このときのモード指針６５は、最速の９０ｐｐｓで移動されることで、結果表示を行うことをユーザに知得させることが出来る。
【００６６】
図７は、ＧＰＳ衛星の捕捉に時間を要した場合におけるモード指針６５の位置、移動方向及び移動速度を示す図である。
【００６７】
必要数のＧＰＳ衛星の捕捉が順調に行かず、時間がかかった場合、最短所要時間が経過した後、即座にＧＰＳ受信処理部５０において受信結果の日時や測位結果が得られない場合がある。この場合、モード指針６５は、停止状態が継続されるが、停止状態が長引くことでユーザにアナログ電子時計１の動作トラブルなどを疑わせる虞がある。そこで、本実施形態のアナログ電子時計１では、ＧＰＳ受信処理部５０の起動から所定時間が経過するごとに、ＧＰＳ受信処理部５０から捕捉されているＧＰＳ衛星の数（捕捉情報）を取得し、必要期間のデータ受信（ステップＳ１０３）に移行済みであるか否かを判別する（タイミングｔ０ａ、ｔ０ｂ、ｔ０ｃ）。そして、捕捉されているＧＰＳ衛星数が必要数に到達していないままモード指針６５の動作残り時間が最短のデータ受信時間より短くなった場合には（タイミングｔ０ａ、ｔ０ｂ）、この残り時間を最短のデータ受信時間まで延長させる。その結果、モード指針６５の動作が停止してから（タイミングｔ１ｂ）、受信結果の入力（タイミングｔ２ａ）までの間隔を短くすることが出来る。
この図７では、所定時間が３秒として図示しているが、この値は、適宜、例えば、１ワードに対応する０．６秒や、１サブフレームに対応する６秒などに設定される。
【００６８】
図８は、アナログ電子時計１で実施されるＧＰＳ受信表示処理のＣＰＵ４１による制御手順を示すフローチャートである。この処理は、日時を取得する場合には、所定の条件で自動的に呼び出されて又はユーザによる所定の入力操作に応じて起動され、位置を取得する場合には、ユーザによる所定の入力操作に応じて起動される。
【００６９】
ＧＰＳ受信表示処理が開始されると、ＣＰＵ４１は、先ず、日時の取得又は測位といった動作内容とＧＰＳ受信処理部に出力するパラメータの設定を行い、また、これらの設定に基づいて最短所要時間を算出する（ステップＳ２０１）。ＣＰＵ４１は、算出された最短所要時間に基づいて、モード指針６５に行わせる動作のパターンを決定する（ステップＳ２０２）。
【００７０】
ＣＰＵ４１は、ＧＰＳ受信処理部５０を起動させ、設定データ（パラメータ）をＧＰＳ受信処理部５０に出力する（ステップＳ２０３）と共に、駆動回路５２に制御信号を出力してモード指針６５の動作を開始させる（ステップＳ２０４）。この制御信号の出力は、最短所要時間に亘り、ＧＰＳ受信表示処理に係る各制御動作と並列に実行された後に終了する。
【００７１】
ＣＰＵ４１は、ＧＰＳ受信処理部５０から正常な受信結果が入力されたか否かを判別する（ステップＳ２０５）。入力されたと判別された場合には（ステップＳ２０５で“ＹＥＳ”）、入力結果に基づいて駆動回路５２に制御信号を出力し、指針に結果表示を行わせる（ステップＳ２０６）。そして、ＧＰＳ受信表示処理を終了する。
【００７２】
ＧＰＳ受信処理部５０から正常な受信結果が入力されていないと判別された場合には（ステップＳ２０５で“ＮＯ”）、ＣＰＵ４１は、ＧＰＳ受信処理部５０からＧＰＳ衛星の捕捉に失敗した旨を示すタイムアウト信号を受信したか、又は、信号を受信しないまま予め設定された上限時間が経過したか否かを判別する(ステップＳ２１１)。何れかに該当すると判別された場合には（ステップＳ２１１で“ＹＥＳ”）、ＣＰＵ４１は、ＧＰＳ受信表示処理を終了する。
なお、このタイムアウト信号は、最短所要時間の経過前に入力される場合があり得るが、この信号の入力タイミングが遅延しても問題は生じない。
【００７３】
何れにも該当しないと判別された場合には（ステップＳ２１１で“ＮＯ”）、ＣＰＵ４１は、更に、ＧＰＳ受信表示処理が開始されてから、又は、前回の所定時間経過後に予め定められた所定時間が経過したか否かを判別する（ステップＳ２１２）。所定時間が経過していないと判別された場合には（ステップＳ２１２で“ＮＯ”）、ＣＰＵ４１の処理は、ステップＳ２０５に移行する。
【００７４】
所定時間が経過したと判別された場合には（ステップＳ２１２で“ＹＥＳ”）、ＣＰＵ４１は、ＧＰＳ受信処理部５０に対して捕捉したＧＰＳ衛星数の情報を送信するよう要求する（ステップＳ２１３）。そして、ＧＰＳ受信処理部５０からの情報を待ち受ける。
【００７５】
ＧＰＳ受信処理部５０から情報が入力されると、ＣＰＵ４１は、捕捉されたＧＰＳ衛星数が動作内容に必要なＧＰＳ衛星の数未満であるか否かを判別する（ステップＳ２１４）。必要なＧＰＳ衛星の数未満ではないと判別された場合には（ステップＳ２１４で“ＮＯ”）、ＣＰＵ４１の処理は、ステップＳ２０５に戻る。
【００７６】
捕捉されているＧＰＳ衛星の数が必要なＧＰＳ衛星の数未満であると判別された場合（ステップＳ２１４で“ＹＥＳ”）、ＣＰＵ４１は、モード指針の動作残り時間を参照し、この動作残り時間が最短のデータ取得時間未満の場合には、最短のデータ取得時間まで延長する（ステップＳ２１５）。それから、ＣＰＵ４１の処理は、ステップＳ２０５に戻る。
【００７７】
［変形例］
図９は、小窓４の変形例と、この小窓４内でのモード指針６５の移動動作を示す図である。
この小窓４には、中心に緯度線と経度線が描かれた地球が円状に表示されている。モード指針６５は、この地球の図の周囲全体３６０度の範囲で、緯度又は経度を表示させる。
【００７８】
このモード指針６５は、図９（ａ）に示すように、当初、曜日の表示がなされており、ここでは、標識「ＳＵ」が指し示されることで、日曜日であることが示されている。
【００７９】
ＧＰＳ受信表示処理が開始されると、モード指針６５は、先ず、図９（ｂ）に示すように、１２時方向に逆転早送り（３２ｐｐｓ）で移動される。それから、図９（ｃ）に示すように、モード指針６５は、正転方向に３６０度３２ｐｐｓで早送り回転移動されて、１２時方向に戻る。次いで、図９（ｄ）に示すように、モード指針６５は、逆転方向に３６０度３２ｐｐｓで早送り回転移動されて、１２時方向に戻る。この動作が最短所要時間の範囲内で繰り返された後に、モード指針６５は停止され、その後、ＧＰＳ受信処理部５０から受信結果がＣＰＵ４１に入力されると、図９（ｅ）に示すように、当該受信結果に応じた位置にモード指針６５が移動される。このとき、モード指針６５は、指し示す位置に依らず、常に９０ｐｐｓで正転方向に回転移動させても良いし、最短時間で指し示す位置に到達可能な回転方向で当該回転方向への最大移動速度で回転移動させても良い。
【００８０】
以上のように、本実施形態のアナログ電子時計１は、ＧＰＳ衛星からの電波を受信して、受信された電波から復調、復号された航法メッセージに基づいて予め取得対象として設定された日時データや位置データを算出、取得してＣＰＵ４１に出力するＧＰＳ受信処理部５０と、回動自在に設けられたモード指針６５と、を備える。ＣＰＵ４１は、ＧＰＳ受信処理部５０にＣＰＵ４１から電波の受信命令が入力されてから取得対象のデータがＣＰＵ４１に出力されるまでの所要時間を算出し、電波の受信時に、モード指針６５に所定のパターンで動作を行わせ、算出された所要時間が経過するタイミングでモード指針６５の動作を終了させる。
即ち、このアナログ電子時計１では、電波受信中にはモード指針６５によるパターン動作を継続させてユーザに電波受信中であることを確実に知得させることが出来ると共に、ＧＰＳ受信処理部５０から日時情報や位置情報を取得するタイミングまでに当該モード指針６５のパターン動作を終了させるので、電波受信により取得される日時データの精度を低下させない。
【００８１】
また、モード指針６５の所定パターンでの動作の終了時には、当該モード指針６５を小窓４内での１２時方向、即ち、北極を示す基準位置に停止させるので、位置の結果表示と混同させる虞がない。また、この後の位置測定結果の表示を１２時から６時（３時側）で行わせることで、常に正転方向に高速で早送りして表示を行わせることが出来るので、ユーザを不要に待たせない。
【００８２】
また、所要時間としては、ＧＰＳ受信処理部５０に電波の受信命令が入力されてからＧＰＳ受信処理部５０で実際に受信動作が開始されるまでの起動時間、受信動作の開始からＧＰＳ受信処理部５０により必要な数のＧＰＳ衛星の電波を捕捉されるまでに必要な捕捉時間、及び日時や位置情報といった取得対象のデータの種別とその取得方法に応じて定まるデータ受信時間が含まれる。所要時間として主要な割合を占めるこれらの値が的確に設定されることで、ＧＰＳ受信処理部５０からＣＰＵ４１へのデータ入力時にモード指針６５が未だ動作しているという事態を柔軟に避けられると共に、所要時間の経過後、結果の表示を行わせるまでの待ち時間を短縮することが出来る。
【００８３】
また、ＣＰＵ４１は、ＧＰＳ受信処理部５０による電波受信中に、捕捉されて追尾中のＧＰＳ衛星の機数に係る捕捉情報を所定の時間間隔で当該ＧＰＳ受信処理部５０から取得して、捕捉されたＧＰＳ衛星の機数が、日時や位置のデータを取得するために必要な機数に満たない場合には、捕捉情報の取得タイミングからデータ受信時間が所要時間に含まれるように所要時間を再設定し、この再設定された所要時間の経過時間に応じたタイミングまでモード指針６５にパターン動作を行わせる。従って、ＧＰＳ衛星からの電波受信環境が悪く、ＧＰＳ衛星の電波の捕捉に時間がかかる場合には、当該捕捉時間に応じて適切にモード指針６５によるパターン動作を行わせる時間を延長するので、パターン動作が終了してから結果表示が行われるまでの待機時間を短縮することが出来、従って、ユーザにアナログ電子時計１がフリーズしたと疑わせない。
【００８４】
また、ＲＡＭ４３には、過去の受信履歴が記憶されている。ＣＰＵ４１は、直近の電波受信、即ち、日時データの修正タイミングからの経過時間に基づいて適宜、計時回路４６の計数する日時などを用いることで、ＧＰＳ衛星からの受信データを削減しながら、日時や位置のデータを算出、取得する方法を用いることが出来る。この場合、ＣＰＵ４１は、必要な受信データに応じてデータ受信時間を短縮する設定を行い、ＧＰＳ受信処理部５０による消費電力を低減させ、また、ユーザの待機時間を短縮しつつ、当該待機時間の短縮に応じた適切な長さのパターン動作をモード指針６５に行わせることが出来る。
【００８５】
また、モード指針６５が電波受信中に繰り返し行うパターン動作の途中で所要時間が経過すると見積もられる場合に、当該モード指針６５の移動速度又は移動角度範囲のうち少なくとも一方を変更して、少なくとも一回のパターン動作に要する時間を短縮又は延長することで、所要時間の経過タイミングで最後のパターン動作を終了させるように調整する。これにより、中途半端な位置でモード指針６５が停止した場合に、当該停止時間が短時間であってもユーザがアナログ電子時計１のフリーズと誤解したり、停止位置を結果表示位置と勘違いしたりする可能性をより確実に排除することが出来る。
【００８６】
また、電波受信中のパターン動作に係るモード指針６５の移動速度よりも、取得された日時や位置の結果表示を行わせるためのモード指針６５の移動速度の方が速くなるようにモード指針６５の移動速度を設定することで、結果表示であることをユーザに認識させると共に、結果表示に要する時間を短縮してユーザを不要に待たせない。
【００８７】
なお、本発明は、上記実施の形態に限られるものではなく、様々な変更が可能である。
例えば、上述のように、受信対象となるフレームやサブフレームの先頭位置データを受信する受信開始タイミングが算出出来る場合には、最短所要時間として、当該タイミングまでの待機時間を追加することが出来る。また、最短所要時間に含まれる起動時間は、他の時間に対して十分短い場合には、最低所要時間の計算から省いてもモード指針６５の動作終了タイミングに大きな影響を与えない。
【００８８】
また、取得対象データとしては、ＧＰＳ衛星からの航法メッセージに限られず、他の測位衛星、例えば、ＧＬＯＮＡＳＳに係る測位衛星の航法メッセージであっても良い。
【００８９】
また、上記実施の形態では、モード指針６５を用いて電波受信時の動作を行わせたが、他の指針であっても良く、また、指針の数は、一本に限られない。また、指針の早送り移動可能な速度や、１ステップ当たりの回転角度などに応じて、適宜動作パターンを変更することが出来る。
【００９０】
また、上記実施の形態では、移動速度及び最後のタイミング調整を除き、同一の動作パターンを繰り返し行う例を挙げて説明したが、ユーザが容易に認識可能な動作パターンの範囲内において、動作パターンが毎回変更されても良い。
例えば、捕捉衛星数によりモード指針６５の動作パターンを変更することが出来る。例えば、図６（ａ）において、モード指針６５を３２ｐｐｓで位置Ｎに移動させた後、捕捉衛星数が３であった場合に、移動速度を通常の半分（１２ｐｐｓ）とし、また、移動角度範囲を半分（緯度０度との間を往復させる）として動作させた後、更に、２４ｐｐｓの均一速度で位置Ｓとの間を往復させても良い。このように移動速度と移動角度範囲の少なくとも一方を変更することによる動作パターンの変化により、ユーザにＧＰＳ衛星が順調に捕捉されていることを認識させることが出来る。
【００９１】
また、上記実施の形態では、最短所要時間の経過後、北緯９０度位置でモード指針６５を停止させたが、他の位置でも良い。但し、結果表示が行われる範囲内、ここでは、北緯９０度位置から南緯９０度位置（３時側）の途中の位置では、結果表示であるのか待機状態であるのか区別がしづらいので、両端の南北９０度位置や９時側の何れかの位置であることがより好ましい。また、南緯９０度位置よりも、北緯９０度位置やその手前（逆転方向に若干移動させた位置）で停止させることで、正転方向への回転動作で高速に結果表示に係る位置へモード指針６５を移動させることが出来る。或いは、南北９０度位置のうち、最短所要時間に応じてモード指針６５の動作を大きく変更せずに止めやすい位置を選択して停止させることとしても良い。
【００９２】
また、上記実施の形態では、衛星からの電波受信中に捕捉情報を繰り返し取得することとしたが、捕捉後のロストを考慮しない場合、必要な数のＧＰＳ衛星の電波が捕捉された後には、当該捕捉情報の取得を中止しても良い。更には、過去の受信履歴などで衛星電波の捕捉に毎回成功している場合などには、捕捉情報の取得自体を省略しても良い。
【００９３】
また、上記実施の形態では、ＧＰＳ受信表示処理において受信中におけるモード指針６５の早送り速度を３２ｐｐｓとし、受信結果の表示に係る早送り速度を９０ｐｐｓとして異ならせたが、同一であっても良い。また、モード指針６５の早送り速度を正転早送り時と逆転早送り時で異ならせても良く、更には、同一方向への早送り中に捕捉衛星数や電波受信開始からの経過時間などに基づいて適宜設定される早送り速度に変化させても良い。
その他上記実施の形態で示した構成や制御手順などの具体的な内容は、本発明の趣旨を逸脱しない範囲において適宜変更可能である。
【００９４】
本発明のいくつかの実施形態を説明したが、本発明の範囲は、上述の実施の形態に限定されるものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００９５】
［付記］
＜請求項１＞
測位衛星からの電波を受信して、当該受信された電波に基づいて予め設定された取得対象データを取得して出力する電波受信手段と、
回動自在に設けられた指針と、
前記電波受信手段に前記電波の受信命令が入力されてから前記取得対象データが出力されるまでの所要時間を算出する時間算出手段と、
前記電波の受信時に、前記指針に所定の報知動作を行わせ、前記所要時間が経過するタイミングで前記報知動作を終了させる報知動作制御手段と、
を備えることを特徴とするアナログ電子時計。
＜請求項２＞
前記報知動作制御手段は、前記報知動作の終了時に前記指針を所定の基準位置に停止させることを特徴とする請求項１記載のアナログ電子時計。
＜請求項３＞
前記所要時間には、
前記電波受信手段に受信命令が入力されてから当該電波受信手段が受信動作を開始するまでの所定の起動時間、
前記受信動作の開始から前記電波受信手段が前記取得対象データの取得に必要な機数の前記測位衛星の電波を捕捉するのに必要な捕捉時間、
及び前記取得対象データとその取得方法に応じて定まるデータ受信時間、
が含まれることを特徴とする請求項１又は２記載のアナログ電子時計。
＜請求項４＞
前記報知動作制御手段は、前記電波受信手段が捕捉して追尾中の前記測位衛星の機数に係る捕捉情報を所定の時間間隔で前記電波受信手段から取得して、前記捕捉された測位衛星の機数が前記必要な機数に満たない場合には、前記捕捉情報の取得タイミングから前記データ受信時間が前記所要時間に含まれるように当該所要時間を再設定し、当該再設定された所要時間の経過時間に応じたタイミングまで前記指針に前記報知動作を行わせることを特徴とする請求項３記載のアナログ電子時計。
＜請求項５＞
過去の受信履歴を記憶する履歴記憶手段を備え、
前記報知動作制御手段は、当該受信履歴に基づいた前記取得方法を設定して当該取得方法に応じた前記データ受信時間を定める
ことを特徴とする請求項３又は４記載のアナログ電子時計。
＜請求項６＞
前記報知動作に係る指針の動作は、所定のパターン動作の繰り返しであり、
前記報知動作制御手段は、前記パターン動作の途中で前記所要時間が経過する場合には、前記パターン動作に係る前記指針の動作速度及び前記パターン動作を行う角度範囲のうち少なくとも一方を変更して、少なくとも一回の前記パターン動作に要する時間を短縮又は延長することで、前記所要時間の経過タイミングで最後の前記パターン動作を終了させる
ことを特徴とする請求項１〜５の何れか一項に記載のアナログ電子時計。
＜請求項７＞
前記報知動作制御手段は、前記報知動作に係る前記指針の移動速度よりも、前記取得対象データに基づく結果表示を行うための前記指針の移動速度を速く設定することを特徴とする請求項１〜６の何れか一項に記載のアナログ電子時計
＜請求項８＞
測位衛星からの電波を受信して、当該受信された電波に基づいて予め設定された取得対象データを取得して出力する電波受信手段と、回動自在に設けられた指針とを備えたアナログ電子時計の指針動作制御方法であって、
前記電波受信手段に前記電波の受信命令が入力されてから前記取得対象データが出力されるまでの所要時間を算出する時間算出ステップ、
前記電波の受信時に、前記指針に所定の報知動作を行わせ、前記所要時間が経過するタイミングで前記報知動作を終了させる報知動作制御ステップ、
を含むことを特徴とするアナログ電子時計の指針動作制御方法。
【符号の説明】
【００９６】
１     アナログ電子時計
２     ケーシング
３     文字盤
４     小窓
５     小窓
６     小窓
７     開口部
４１   ＣＰＵ
４２   ＲＯＭ
４２ａ プログラム
４３   ＲＡＭ
４４   発振回路
４５   分周回路
４６   計時回路
４７   操作部
４８   標準電波受信部
４９   アンテナ
５０   ＧＰＳ受信処理部
５０ａ 制御部
５１   アンテナ
５２   駆動回路
５４   電源部
６１   秒針
６２   分針
６３   時針
６４   日車
６５   モード指針
６６   機能指針
６７   機能指針
６８   ２４時間指針
７１   輪列機構
７２   輪列機構
７３   輪列機構
７４   輪列機構
７５   輪列機構
８１   ステッピングモータ
８２   ステッピングモータ
８３   ステッピングモータ
８４   ステッピングモータ
８５   ステッピングモータ
Ｂ１-Ｂ３     ボタンスイッチ
Ｃ１   りゅうず
【図１】
0005967121.tif 000002
【図２】
0005967121.tif 000003
【図３】
0005967121.tif 000004
【図４】
0005967121.tif 000005
【図５】
0005967121.tif 000006
【図６】
0005967121.tif 000007
【図７】
0005967121.tif 000008
【図８】
0005967121.tif 000009
【図９】
0005967121.tif 000010